【手続補正書】
【提出日】平成21年11月10日(2009.11.10)
【手続補正１】
【補正対象書類名】明細書
【補正対象項目名】００５９
【補正方法】変更
【補正の内容】
【００５９】
面データにおいて、変倍を行うため間隔が変化する、第１群Ｇ１と第２群Ｇ２の間隔、第２群Ｇ２と第３群Ｇ３の間隔、第３群Ｇ３と第４群Ｇ４の間隔はそれぞれ、可変Ｄ１、可変Ｄ２、可変Ｄ３としている。各種データにおいて、広角端、中間位置、望遠端における可変Ｄ１、可変Ｄ２、可変Ｄ３の値をそれぞれＤ１、Ｄ２、Ｄ３の項に示す。また、各種データでは、変倍比を最上段に示し、広角端、中間位置、望遠端における焦点距離、Ｆナンバー、半画角の値をそれぞれｆ、ＦＮｏ．、半画角の項に示す。面データおよび各種データにおいて、特に表記のないものの単位はｍｍである。
【手続補正２】
【補正対象書類名】明細書
【補正対象項目名】００６０
【補正方法】変更
【補正の内容】
【００６０】
［実施例１］
面データ
面番号        Ri          Di        Ndj      νdj
1        193.321      2.80     1.75500    52.3
2         86.502     10.42     1.61800    63.3
3       6398.973      0.15     1.00000
4        152.074      2.70     1.80609    40.9
5         75.206     10.93     1.43875    94.9
6        825.576      0.15     1.00000
7         69.946      9.87     1.49700    81.5
8        404.031    可変D1     1.00000
9         27.807      1.20     1.83480    42.7
10         14.597      9.03     1.00000
11        -53.981      2.81     1.80809    22.8
12        -29.438      1.00     1.80400    46.6
13         74.759      0.20     1.00000
14         26.371      3.19     1.80809    22.8
15         47.060    可変D2     1.00000
16        -34.305      1.00     1.80400    46.6
17         48.676      3.25     1.80517    25.4
18       -190.995    可変D3     1.00000
19             ∞      0.30     1.51633    64.1
20             ∞      1.30     1.00000
21(開口絞り)      ∞      1.50     1.00000
22         54.326      6.39     1.49700    81.5
23        -34.405      1.00     1.00000
24         64.706      6.60     1.49700    81.5
25        -27.631      1.30     1.81600    46.6
26       -258.940      0.15     1.00000
27         38.490      6.51     1.49700    81.5
28        -36.846      1.30     1.81600    46.6
29        194.388      1.00     1.00000
30         18.860      5.49     1.48749    70.2
31         53.779      4.89     1.00000
32         19.922      2.50     1.77250    49.6
33         11.716     10.00     1.00000
34         32.377      2.96     1.51741    52.4
35       -136.598     20.00     1.00000
36             ∞      4.00     1.51633    64.1
像面            ∞      0.00     1.00000
各種データ
変倍比  22.00
f        D1         D2         D3       FNo.   半画角（度）
広角端     10.31      1.00      80.42      14.68     2.00    20.4
中間       51.54     61.47      13.77      20.86     2.00     4.2
望遠端    226.78     84.01      10.92       1.18     3.02     0.9
【手続補正３】
【補正対象書類名】明細書
【補正対象項目名】００６１
【補正方法】変更
【補正の内容】
【００６１】
［実施例２］
面データ
面番号        Ri          Di        Ndj      νdj
1        167.322      2.80     1.75500    52.3
2         77.232     10.62     1.61800    63.3
3        637.266      0.15     1.00000
4        177.459      2.70     1.80609    40.9
5         79.104      9.81     1.43875    94.9
6        512.121      0.15     1.00000
7         77.089      9.47     1.49700    81.5
8        676.519      0.15     1.00000
9         99.350      5.00     1.49700    81.5
10        169.814    可変D1     1.00000
11         28.463      1.20     1.83480    42.7
12         14.462      9.51     1.00000
13        -54.933      2.85     1.80809    22.8
14        -28.844      1.00     1.80400    46.6
15         71.348      0.20     1.00000
16         25.893      3.14     1.80809    22.8
17         45.741    可変D2     1.00000
18        -33.220      1.00     1.80400    46.6
19         42.484      3.41     1.80517    25.4
20       -216.680    可変D3     1.00000
21             ∞      0.30     1.51633    64.1
22             ∞      1.30     1.00000
23(開口絞り)      ∞      1.50     1.00000
24        123.308      5.73     1.49700    81.5
25        -31.737      1.00     1.00000
26         60.159      6.99     1.49700    81.5
27        -29.094      1.30     1.81600    46.6
28       -335.528      0.15     1.00000
29         30.952      7.43     1.49700    81.5
30        -46.689      1.30     1.81600    46.6
31        109.600      1.00     1.00000
32         23.796     16.47     1.48749    70.2
33        821.711      1.92     1.00000
34         25.892      2.50     1.77250    49.6
35         11.797      3.11     1.00000
36         19.646      3.32     1.51741    52.4
37        339.805     19.99     1.00000
38             ∞      4.00     1.51633    64.1
像面            ∞      0.00     1.00000
各種データ
変倍比  21.99
f         D1         D2         D3       FNo.   半画角（度）
広角端     10.31       1.03      72.01      16.48     2.00    20.3
中間       51.53      56.00      12.05      21.46     2.00     4.2
望遠端    226.75      75.90      12.43       1.19     3.02     0.9
【手続補正４】
【補正対象書類名】明細書
【補正対象項目名】００６２
【補正方法】変更
【補正の内容】
【００６２】
［実施例３］
面データ
面番号        Ri          Di        Ndj      νdj
1        124.957      2.80     1.81600    46.6
2         90.082      1.20     1.00000
3         88.265     10.70     1.49700    81.5
4      -2074.527      0.15     1.00000
5        139.499      2.70     1.78589    44.2
6         67.527     11.02     1.49700    81.5
7        331.063      0.15     1.00000
8         71.541      8.22     1.49700    81.5
9        218.025    可変D1     1.00000
10         29.158      1.20     1.83480    42.7
11         13.978      8.04     1.00000
12        -43.957      2.78     1.80809    22.8
13        -25.551      1.00     1.80400    46.6
14         98.979      0.20     1.00000
15         27.205      3.12     1.80809    22.8
16         53.326    可変D2     1.00000
17        -35.342      1.00     1.80400    46.6
18         54.010      3.20     1.80517    25.4
19       -163.686    可変D3     1.00000
20             ∞      0.30     1.51633    64.1
21             ∞      1.30     1.00000
22(開口絞り)      ∞      1.50     1.00000
23         53.155      6.63     1.49700    81.5
24        -33.962      1.00     1.00000
25         74.259      6.61     1.49700    81.5
26        -27.136      1.30     1.81600    46.6
27       -196.557      0.15     1.00000
28         41.173      6.74     1.49700    81.5
29        -33.762      1.30     1.81600    46.6
30        222.171      1.00     1.00000
31         19.929      5.27     1.48749    70.2
32         59.218      6.67     1.00000
33         19.768      2.50     1.77250    49.6
34         12.034     10.00     1.00000
35         30.351      3.09     1.51741    52.4
36       -142.450     20.00     1.00000
37             ∞      4.00     1.51633    64.1
像面            ∞      0.00     1.00000
各種データ
変倍比  22.00
f         D1         D2         D3       FNo.   半画角（度）
広角端     10.31       1.00      82.39      11.76     2.00    20.4
中間       51.55      61.15      14.37      19.63     2.00     4.2
望遠端    226.82      83.54      10.42       1.18     3.02     0.9
【手続補正５】
【補正対象書類名】明細書
【補正対象項目名】００６３
【補正方法】変更
【補正の内容】
【００６３】
［実施例４］
面データ
面番号        Ri          Di        Ndj      νdj
1        116.288      2.80     1.75500    52.3
2         69.891     13.27     1.61800    63.3
3      -4175.252      0.15     1.00000
4        352.592      2.70     1.81600    46.6
5         67.097      1.20     1.00000
6         67.322     13.79     1.49700    81.5
7      -1407.834      0.15     1.00000
8         67.375      9.53     1.49700    81.5
9        271.305    可変D1     1.00000
10         30.924      1.20     1.83480    42.7
11         13.679      7.73     1.00000
12        -38.334      2.13     1.80809    22.8
13        -29.122      1.00     1.80400    46.6
14         75.074      0.20     1.00000
15         29.957      3.64     1.80809    22.8
16        144.870    可変D2     1.00000
17        -33.767      1.00     1.80400    46.6
18         75.240      2.90     1.80517    25.4
19       -153.501    可変D3     1.00000
20             ∞      0.30     1.51633    64.1
21             ∞      1.30     1.00000
22(開口絞り)      ∞      1.50     1.00000
23         58.857      6.25     1.49700    81.5
24        -34.883      1.00     1.00000
25         57.238      6.62     1.49700    81.5
26        -29.875      1.30     1.81600    46.6
27       -207.426      0.15     1.00000
28         39.885      6.53     1.49700    81.5
29        -35.964      1.30     1.81600    46.6
30        185.371      1.00     1.00000
31         18.709      5.52     1.48749    70.2
32         60.262      4.26     1.00000
33         19.035      2.50     1.77250    49.6
34         11.339     10.00     1.00000
35         43.320      2.68     1.51741    52.4
36       -102.932     19.97     1.00000
37             ∞      4.00     1.51633    64.1
像面            ∞      0.00     1.00000
各種データ
変倍比  22.01
f         D1         D2         D3       FNo.   半画角（度）
広角端     10.31       1.00      79.11      12.17     2.00    20.3
中間       51.57      59.71      13.08      19.49     2.00     4.2
望遠端    226.91      81.54       9.33       1.41     3.02     0.9
【手続補正６】
【補正対象書類名】明細書
【補正対象項目名】００６４
【補正方法】変更
【補正の内容】
【００６４】
［実施例５］
面データ
面番号        Ri          Di        Ndj      νdj
1        128.402      2.80     1.77250    49.6
2         71.544     11.94     1.61800    63.3
3        922.532      0.15     1.00000
4        138.728      2.70     1.80439    39.6
5         68.015      1.20     1.00000
6         67.212     10.58     1.49700    81.5
7        269.290      0.15     1.00000
8         75.576      9.00     1.49700    81.5
9        400.336    可変D1     1.00000
10         28.311      1.20     1.83480    42.7
11         13.733      8.02     1.00000
12        -44.429      2.69     1.80809    22.8
13        -26.258      1.00     1.80400    46.6
14         85.505      0.20     1.00000
15         26.723      3.16     1.80809    22.8
16         54.021    可変D2     1.00000
17        -34.745      1.00     1.80400    46.6
18         47.108      3.34     1.80517    25.4
19       -172.107    可変D3     1.00000
20             ∞      0.30     1.51633    64.1
21             ∞      1.30     1.00000
22(開口絞り)      ∞      1.50     1.00000
23         50.578      6.74     1.49700    81.5
24        -33.537      1.00     1.00000
25         72.206      6.68     1.49700    81.5
26        -26.442      1.30     1.81600    46.6
27       -185.348      0.15     1.00000
28         41.048      6.76     1.49700    81.5
29        -32.524      1.30     1.81600    46.6
30        187.061      1.00     1.00000
31         19.956      5.31     1.48749    70.2
32         64.511      6.55     1.00000
33         19.813      2.50     1.77250    49.6
34         12.027     10.00     1.00000
35         29.832      3.11     1.51741    52.4
36       -141.441     20.00     1.00000
37             ∞      4.00     1.51633    64.1
像面            ∞      0.00     1.00000
各種データ
変倍比  21.99
f         D1         D2         D3       FNo.   半画角（度）
広角端     10.31       1.00      80.90      11.49     2.00    20.4
中間       51.53      60.08      14.34      18.97     2.00     4.2
望遠端    226.75      82.09      10.12       1.18     3.02     0.9
【手続補正７】
【補正対象書類名】明細書
【補正対象項目名】００６５
【補正方法】変更
【補正の内容】
【００６５】
［実施例６］
面データ
面番号        Ri          Di        Ndj      νdj
1        188.513      2.80     1.75500    52.3
2         80.515     11.21     1.61800    63.3
3       7972.662      6.77     1.00000
4        177.759      2.70     1.81600    46.6
5         63.837     13.44     1.49700    81.5
6       1194.823      0.15     1.00000
7         64.101     11.90     1.49700    81.5
8        979.450    可変D1     1.00000
9         25.672      1.20     1.83480    42.7
10         13.474      8.34     1.00000
11        -45.853      2.44     1.80809    22.8
12        -29.149      1.00     1.80400    46.6
13         56.591      0.20     1.00000
14         26.059      3.44     1.80809    22.8
15         63.559    可変D2     1.00000
16        -32.763      1.00     1.80400    46.6
17         77.809      2.68     1.80517    25.4
18       -174.882    可変D3     1.00000
19             ∞      0.30     1.51633    64.1
20             ∞      1.30     1.00000
21(開口絞り)      ∞      1.49     1.00000
22         62.975      5.63     1.49700    81.5
23        -36.334      1.00     1.00000
24         55.292      6.31     1.49700    81.5
25        -30.866      1.30     1.81600    46.6
26       -220.449      0.15     1.00000
27         35.569      6.42     1.49700    81.5
28        -39.716      1.30     1.81600    46.6
29        162.228      1.00     1.00000
30         18.094      5.65     1.48749    70.2
31         66.777      2.73     1.00000
32         18.706      2.50     1.77250    49.6
33         10.923     10.00     1.00000
34         41.319      2.56     1.51741    52.4
35       -158.506     19.99     1.00000
36             ∞      4.00     1.51633    64.1
像面            ∞      0.00     1.00000
各種データ
変倍比  21.99
f         D1         D2         D3       FNo.   半画角（度）
広角端     10.31       1.00      73.71      14.41     2.00    20.2
中間       51.53      56.52      12.21      20.39     2.00     4.2
望遠端    226.75      76.98      10.98       1.16     3.01     0.9
【手続補正８】
【補正対象書類名】明細書
【補正対象項目名】００６６
【補正方法】変更
【補正の内容】
【００６６】
［実施例７］
面データ
面番号        Ri          Di        Ndj      νdj
1        157.240      2.80     1.81600    46.6
2         84.440      1.75     1.00000
3         84.111     10.26     1.61800    63.3
4       1309.593      6.52     1.00000
5        119.475      2.70     1.83480    42.7
6         60.287     12.52     1.49700    81.5
7        292.856      0.15     1.00000
8         65.436     11.16     1.49700    81.5
9        573.914    可変D1     1.00000
10         27.673      1.20     1.83480    42.7
11         13.229      8.06     1.00000
12        -46.702      2.80     1.80809    22.8
13        -25.544      1.00     1.80400    46.6
14         84.249      0.20     1.00000
15         24.508      4.16     1.80809    22.8
16         43.003    可変D2     1.00000
17        -32.886      1.00     1.80400    46.6
18         61.671      2.91     1.80809    22.8
19       -176.059    可変D3     1.00000
20             ∞      0.30     1.51633    64.1
21             ∞      1.30     1.00000
22(開口絞り)      ∞      1.50     1.00000
23         61.680      6.13     1.49700    81.5
24        -32.577      1.00     1.00000
25         57.722      6.62     1.49700    81.5
26        -27.887      1.30     1.81600    46.6
27       -435.540      0.15     1.00000
28         32.531      7.44     1.49700    81.5
29        -36.914      1.30     1.81600    46.6
30        142.913      1.00     1.00000
31         18.319      6.19     1.48749    70.2
32         61.709      3.03     1.00000
33         19.278      2.50     1.77250    49.6
34         11.254     10.00     1.00000
35         32.169      2.91     1.51741    52.4
36       -158.533     20.00     1.00000
37             ∞      4.00     1.51633    64.1
像面            ∞      0.00     1.00000
各種データ
変倍比  22.00
f         D1         D2         D3       FNo.   半画角（度）
広角端     10.30       1.03      71.62      13.48     2.00    20.3
中間       51.50      54.00      12.47      19.67     2.00     4.2
望遠端    226.59      73.22      11.74       1.18     3.01     0.9
【手続補正９】
【補正対象書類名】明細書
【補正対象項目名】００６７
【補正方法】変更
【補正の内容】
【００６７】
［実施例８］
面データ
面番号        Ri          Di        Ndj      νdj
1        155.347      2.80     1.81600    46.6
2         84.362      1.83     1.00000
3         84.601     10.23     1.61800    63.3
4       1379.158      6.78     1.00000
5        104.608      2.70     1.88299    40.7
6         63.115     11.39     1.43875    94.9
7        256.314      0.15     1.00000
8         67.680     10.71     1.49700    81.5
9        561.147    可変D1     1.00000
10         26.607      1.20     1.83480    42.7
11         13.309      8.22     1.00000
12        -47.556      2.80     1.80809    22.8
13        -25.787      1.00     1.80400    46.6
14         69.831      0.20     1.00000
15         24.708      3.12     1.80809    22.8
16         45.304    可変D2     1.00000
17        -31.909      1.00     1.80400    46.6
18         58.528      2.98     1.80809    22.8
19       -169.885    可変D3     1.00000
20             ∞      0.30     1.51633    64.1
21             ∞      1.30     1.00000
22(開口絞り)      ∞      1.50     1.00000
23         56.723      6.41     1.49700    81.5
24        -31.701      1.00     1.00000
25         64.287      6.72     1.49700    81.5
26        -25.845      1.30     1.81600    46.6
27       -238.755      0.15     1.00000
28         35.316      6.79     1.49700    81.5
29        -35.497      1.30     1.81600    46.6
30        173.476      1.00     1.00000
31         18.861      6.49     1.48749    70.2
32         60.261      4.08     1.00000
33         20.241      2.50     1.77250    49.6
34         11.608     10.00     1.00000
35         31.784      3.09     1.51741    52.4
36       -102.772     20.00     1.00000
37             ∞      4.00     1.51633    64.1
像面            ∞      0.00     1.00000
各種データ
変倍比  22.01
f         D1         D2         D3       FNo.   半画角（度）
広角端     10.30       1.00      73.40      12.55     2.00    20.3
中間       51.52      55.25      13.03      18.66     2.00     4.2
望遠端    226.67      75.25      10.54       1.15     3.01     0.9
【手続補正１０】
【補正対象書類名】明細書
【補正対象項目名】００６８
【補正方法】変更
【補正の内容】
【００６８】
［実施例９］
面データ
面番号        Ri          Di        Ndj      νdj
1        123.353      2.80     1.77250    49.6
2         80.544      1.93     1.00000
3         81.244     11.45     1.49700    81.5
4      -3030.766      6.89     1.00000
5        121.192      2.70     1.83480    42.7
6         65.002      3.00     1.00000
7         66.565     10.49     1.49700    81.5
8        248.632      0.15     1.00000
9         70.337     10.23     1.49700    81.5
10        548.746    可変D1     1.00000
11         33.735      1.20     1.83480    42.7
12         13.976      7.62     1.00000
13        -41.642      2.61     1.80809    22.8
14        -25.854      1.00     1.80400    46.6
15        103.513      0.20     1.00000
16         29.193      3.30     1.80809    22.8
17         80.730    可変D2     1.00000
18        -31.151      1.00     1.80400    46.6
19        103.324      2.62     1.80809    22.8
20       -140.995    可変D3     1.00000
21             ∞      0.30     1.51633    64.1
22             ∞      1.30     1.00000
23(開口絞り)      ∞      1.50     1.00000
24         69.952      5.88     1.49700    81.5
25        -33.427      1.00     1.00000
26         57.681      6.56     1.49700    81.5
27        -29.144      1.30     1.81600    46.6
28       -220.963      0.15     1.00000
29         32.930      6.71     1.49700    81.5
30        -41.050      1.30     1.81600    46.6
31        118.987      1.00     1.00000
32         18.556      5.65     1.48749    70.2
33         69.856      3.31     1.00000
34         19.647      2.50     1.77250    49.6
35         11.305     10.00     1.00000
36         40.639      2.73     1.51741    52.4
37       -108.561     19.99     1.00000
38             ∞      4.00     1.51633    64.1
像面            ∞      0.00     1.00000
各種データ
変倍比  21.99
f         D1         D2        D3       FNo.   半画角（度）
広角端     10.31       1.00      71.88     14.74     2.00    20.3
中間       51.53      55.55      11.58     20.50     2.00     4.2
望遠端    226.73      75.42      11.03      1.18     3.01     0.9
【手続補正１１】
【補正対象書類名】明細書
【補正対象項目名】００６９
【補正方法】変更
【補正の内容】
【００６９】
［実施例１０］
面データ
面番号        Ri          Di        Ndj      νdj
1        172.905      2.80     1.75500    52.3
2         77.306     11.23     1.61800    63.3
3       1373.080      6.15     1.00000
4        209.884      2.70     1.83480    42.7
5         73.515     10.21     1.49700    81.5
6        385.976      0.15     1.00000
7         76.349     10.26     1.49700    81.5
8       2485.442      0.15     1.00000
9         82.968      5.19     1.49700    81.5
10        145.551    可変D1     1.00000
11         28.133      1.20     1.83480    42.7
12         13.835      8.48     1.00000
13        -48.437      2.83     1.80809    22.8
14        -26.840      1.00     1.80400    46.6
15         82.538      0.20     1.00000
16         25.334      3.21     1.80809    22.8
17         46.504    可変D2     1.00000
18        -33.495      1.00     1.80400    46.6
19         45.719      3.20     1.80517    25.4
20       -223.469    可変D3     1.00000
21             ∞      0.30     1.51633    64.1
22             ∞      1.30     1.00000
23(開口絞り)      ∞      1.50     1.00000
24        183.001      4.94     1.49700    81.5
25        -32.028      1.00     1.00000
26         58.619      6.69     1.49700    81.5
27        -27.562      1.30     1.81600    46.6
28       -305.923      0.15     1.00000
29         25.745      8.20     1.49700    81.5
30        -53.777      1.30     1.81600    46.6
31        119.418      1.00     1.00000
32         20.598      7.77     1.48749    70.2
33        120.955      1.01     1.00000
34         19.858      2.50     1.77250    49.6
35         11.146     10.00     1.00000
36         40.519      2.64     1.51741    52.4
37       -137.356     20.00     1.00000
38             ∞      4.00     1.51633    64.1
像面            ∞      0.00     1.00000
各種データ
変倍比  21.99
f         D1         D2         D3       FNo.   半画角（度）
広角端     10.31       1.00      66.93      18.51     2.00    20.1
中間       51.53      52.71      10.62      23.11     2.00     4.2
望遠端    226.75      70.99      14.27       1.18     3.01     0.9